(57)【要約】【課題】複数の領域に分割して並列に伝送される高精細画像において、処理対象の画素の上下の画素の情報を用いる信号処理を行う際に、上下の画素が処理対象の画素とは異なる領域にあるときにも処理の時間を十分に得られる高精細画像を出力する映像信号出力装置を提供する。【解決手段】映像信号出力装置１は、映像のフレーム画像を入力する入力部（入力手段）１１ａ〜１１ｄと、このフレーム画像を記憶するフレームメモリ（フレーム画像記憶手段）１３と、記憶されたフレーム画像を、複数に分割した領域の画像ごとに読み出す信号処理部（信号処理手段）１４と、この各領域の画像を並列して出力する出力部（出力手段）１６ａ〜１６ｄとを備え、信号処理部１４が、上下に隣接する２つの領域の画像を、当該画像を構成する水平のラインの垂直方向の走査の異なる向きに読み出すことを特徴とする。【選択図】図１
2009010613.tif 000002
【特許請求の範囲】
【請求項１】
映像の各フレーム画像を複数の領域に分割して、前記フレーム画像ごとに各領域の画像を並列して出力する映像信号出力装置であって、
前記映像のフレーム画像を入力する入力手段と、
この入力手段によって入力されたフレーム画像を記憶するフレーム画像記憶手段と、
このフレーム画像記憶手段に記憶されたフレーム画像を、前記領域の画像ごとに読み出す信号処理手段と、
この信号処理手段によって読み出された各領域の画像を並列して出力する出力手段とを備え、
前記信号処理手段が、前記フレーム画像において上下に隣接する２つの前記領域の画像を、当該画像を構成する水平のラインの垂直方向の走査の異なる向きに読み出すことを特徴とする映像信号出力装置。
【請求項２】
映像の各フレーム画像を複数の領域に分割して、前記フレーム画像ごとに各領域の画像を並列して伝送する映像伝送方法であって、
前記フレーム画像の上下に隣接する２つの前記領域の画像を、当該画像を構成する水平のラインの垂直方向の走査の異なる向きに伝送することを特徴とする映像伝送方法。
【発明の詳細な説明】
【技術分野】
【０００１】
本発明は、映像を伝送する技術に係り、特に、映像の各フレーム画像を複数の画像に分割して伝送する映像信号出力装置及び映像伝送方法に関する。
【背景技術】
【０００２】
従来、例えば、横３８４０画素×縦２１６０画素の高精細映像を伝送する場合に、高精細映像のフレーム画像又はフィールド画像（以下、単にフレーム画像と言う）である横３８４０画素×縦２１６０画素の高精細画像を、横１９２０画素×縦１０８０画素の伝送用の信号路を４系統使用して、並列に伝送している。
【０００３】
例えば、横３８４０画素×縦２１６０画素の高精細画像を４つの画像に分割して、それぞれを横１９２０画素×縦１０８０画素の信号４系統として伝送する方法がある（非特許文献１参照）。また、横３８２０画素×縦２１４０画素の高精細画像を、上下及び左右に隣接する領域の一部が重複するように４つに分割して、それぞれを横１９２０画素×縦１０８０画素の信号４系統として伝送する方法がある。
【０００４】
ここで、図２（ａ）及び図６を参照して、従来の高精細画像を４つの画像に分割して伝送する方法について説明する。図２（ａ）は、従来の方法によって、横３８４０画素×縦２１６０画素の高精細画像を４つの画像に分割して伝送する方法を説明するための説明図である。図６は、従来の方法によって、横３８２０画素×縦２１４０画素の高精細画像を４つの画像に分割して伝送する方法を説明するための説明図である。
【０００５】
図２（ａ）に示すように、高精細画像の伝送においては、横３８４０画素×縦２１６０画素の高精細画像Ｇ０を４つの領域の画像Ｇ１〜Ｇ４に分割する。ここで、横１９２０画素×縦１０８０画素の伝送用の信号路では、ひとつの画像（Ｇ１〜Ｇ４）の画素値を、左上の画素ｇ１から右上の画素まで順に送り、その後、１つ下のラインの画素を左から右へと順に送って、最終的に右下の画素ｇ２まで送る。このように、横１９２０画素×縦１０８０画素の伝送用の信号路を４系統用いて、分割されたそれぞれの画像Ｇ１〜Ｇ４を左上の画素ｇ１から右下の画素ｇ２まで伝送する。
【０００６】
また、図６に示すように、横３８２０画素×縦２１４０画素の高精細画像Ｇ０’を、縦に２０画素、横に２０画素ずつ重複させて、横１９２０画素×縦１０８０画素の４つの領域の画像Ｇ１’〜Ｇ４’に分割することとしてもよい。そして、横１９２０画素×縦１０８０画素の伝送用の信号路では、ひとつの画像（Ｇ１’〜Ｇ４’）の画素値を、左上の画素ｇ１’から右上の画素まで順に送り、その後、１つ下のラインの画素を左から右へと順に送って、最終的に右下の画素ｇ２’まで送る。このように、横１９２０画素×縦１０８０画素の伝送用の信号路を４系統用いて、分割されたそれぞれの画像Ｇ１’〜Ｇ４’を左上の画素ｇ１’から右下の画素ｇ２’まで伝送する。ここで、重複する画素数は、規格等で規定されているわけではないが、便宜的に行われている。
【非特許文献１】金澤  勝、外５名、「走査線４０００本級超高精細プロジェクター」、月刊ディスプレイ、２００４年７月号、Ｖｏｌ．１０、Ｎｏ．７、ｐ．３４〜４０
【発明の開示】
【発明が解決しようとする課題】
【０００７】
しかしながら、伝送された画像信号に対しては様々な信号処理が行われる。そして、非特許文献１に記載の方法では、この信号処理において、処理対象となる画素（以下、注目画素と言う）の近傍の画素の情報を用いる場合には、注目画素と近傍（上下）の画素とが異なる領域にあると、当該処理を垂直ブランキングの期間に非常に高速に行う必要が生じる、もしくは、注目画素と近傍の画素とが同じ領域にあるときに比べて処理された画像信号の出力が１フレーム遅くなるという問題があった。
【０００８】
ここで、図７及び図８を参照して、注目画素の近傍の画素の情報を用いる信号処理について説明する。ここで、このような信号処理として、２次元フィルタ処理を例に挙げ、更に、注目画素の近傍の画素として、例えば、注目画素から１０画素以内の位置にある画素（以下、近傍画素と言う）が、この処理に必要であると想定する。なお、ここで、映像信号はすべて同期していることとする。
【０００９】
図７は、従来の重複せずに高精細画像を４つに分割して伝送する方法における２次元フィルタ処理について説明するための説明図、（ａ）は、２次元フィルタ処理における信号の流れを示す構成図、（ｂ）は、分割された領域内における注目画素と近傍画素とを模式的に示した模式図、（ｃ）は、２次元フィルタに入力される信号と出力される信号とにおける、注目画素の情報の伝送のタイミングを模式的に示した模式図である。図８は、従来の重複せずに高精細画像を４つに分割して伝送する方法における２次元フィルタ処理について説明するための説明図、（ａ）は、分割された領域内における注目画素と、当該領域及び他の領域における近傍画素とを模式的に示した模式図、（ｂ）は、２次元フィルタに入力される信号と出力される信号とにおける、注目画素の情報の伝送のタイミングを模式的に示した模式図である。
【００１０】
ここで、図７（ａ）に示すように、高精細の映像信号を出力する高精細映像信号出力装置１０１から、各々の領域の画像Ｇ１〜Ｇ４（図２（ａ）参照）の映像信号（入力信号１〜４）が２次元フィルタ１０２に入力されることとする。また、この２次元フィルタ１０２から、２次元フィルタ処理された各々の画像Ｇ１〜Ｇ４に対応する映像信号（出力信号１〜４）が映像信号表示装置１０３に出力されることとする。
【００１１】
そして、図７（ｂ）に示すように、例えば、注目画素ｇ１３が画像Ｇ１の中央にあるとき、２次元フィルタ１０２は、当該注目画素ｇ１３の上下左右１０画素の近傍画素ｇ１４のすべての画素値が入力されてから２次元フィルタの処理を行う。そのため、この処理に必要な時間が約１フレーム（日本の放送方式では約３０ｍｓ）以下であれば、図７（ｃ）に示すように、次のフレームで出力信号を出力することができる。
【００１２】
一方、図８（ａ）に示すように、例えば、注目画素ｇ１５が画像Ｇ４の左上にあるとき、近傍画素ｇ１６は、すべての画像Ｇ１〜Ｇ４に含まれる。そのため、図８（ｂ）に示すように、画像Ｇ４内の注目画素ｇ１５及び近傍画素ｇ１６の画素値は、入力信号４の当該フレームの最初に、画像Ｇ１の近傍画素ｇ１６の画素値は、入力信号１の当該フレームの最後に含まれる。そのため、出力信号４を次のフレームで出力するためには、垂直ブランキング期間Ｌにおいて、２次元フィルタ処理を行う必要がある。この垂直ブランキング期間Ｌは、例えば、ハイビジョンでは約０．６ｍｓであり、次フレームで出力するためには、非常に高速な処理が必要になる。また、もし、低速な処理回路を利用した場合には、垂直ブランキング期間Ｌ内で２次元フィルタ処理が終了せず、処理が１フレームで終わらないため、入力から出力まで２フレームの期間がかかることになる。
【００１３】
また、高精細画像を、重複して複数の領域に分割する方法では、図６に示すように、高精細画像Ｇ０’の左上（画像Ｇ１の左上）を基準にして、注目画素が、左上から水平方向に１〜１９１０画素、垂直方向に１〜１０７０画素の範囲にあるときには、画像Ｇ１’の入力信号の情報だけで２次元フィルタ処理を行うことができる。同様に、水平方向に１〜１９１０画素、垂直方向に１０７１〜２１４０画素の範囲にあるときには画像Ｇ２’の入力信号の情報だけ、水平方向に１９１１〜３８２０画素、垂直方向に１〜１０７０画素の範囲にあるときには、画像Ｇ３’の入力信号の情報だけ、水平方向に１９１１〜３８２０画素、垂直方向に１０７１〜２１４０画素の範囲にあるときには、画像Ｇ４’の入力信号の情報だけで処理が可能である。そのため、近傍画素が複数の領域にまたがることに付随する問題は生じない。なお、ここでも、注目画素から１０画素以内の位置にある画素を、処理に必要な近傍画素と想定している。
【００１４】
しかし、図６で明らかなように、横１９２０画素×縦１０８０画素の伝送用の信号路を４系統使用しても、横１９２０画素×縦１０８０画素の４倍の大きさの画像（横３８４０画素×縦２１６０画素の画像）を伝送することができず、各領域（画像Ｇ１’〜Ｇ４’）で重複する部分だけ少ない横３８２０画素×縦２１４０画素の画像しか伝送できない。また、信号処理において必要となる近傍画素の大きさが、各領域（画像Ｇ１’〜Ｇ４’）の重複分の半分（ここでは１０画素）を超える場合には、特許文献１に記載の方法と同様の問題が生じる。
【００１５】
本発明は、前記従来技術の問題を解決するために成されたもので、所定数の領域に分割して各領域の画像を並列に伝送する高精細画像において、処理対象となる画素の近傍（上下）の画素の情報を用いる信号処理を行う際に、近傍の画素が処理対象の画素とは異なる領域にあるときにも処理にかけられる時間を十分に得られる高精細画像を出力及び伝送する映像信号出力装置及び映像伝送方法を提供することを目的とする。
【課題を解決するための手段】
【００１６】
前記課題を解決するため、請求項１に記載の映像信号出力装置は、映像の各フレーム画像を複数の領域に分割して、前記フレーム画像ごとに各領域の画像を並列して出力する映像信号出力装置であって、前記映像のフレーム画像を入力する入力手段と、この入力手段によって入力されたフレーム画像を記憶するフレーム画像記憶手段と、このフレーム画像記憶手段に記憶されたフレーム画像を、前記領域の画像ごとに読み出す信号処理手段と、この信号処理手段によって読み出された各領域の画像を並列して出力する出力手段とを備え、前記信号処理手段が、前記フレーム画像において上下に隣接する２つの前記領域の画像を、当該画像を構成する水平のラインの垂直方向の走査の異なる向きに読み出すこととした。
【００１７】
これによって、映像信号出力装置は、映像の各フレーム画像を複数に分割した各領域において、上下に隣接する２つの領域の画像の水平のラインの垂直方向の走査を異なる向きにして高精細画像を出力することができる。つまり、映像信号出力装置は、上下に隣接する２つの領域の一方は上から下へ、他方は下から上へ水平のラインを走査して高精細画像を出力することができる。これによって、当該高精細画像に対して処理対象となる画素の近傍（上下）の画素の情報を用いる信号処理を行う際に、信号処理に必要な近傍の画素が処理対象の画素の領域と上又は下に隣接する領域にもある場合にも、当該映像信号出力装置からの高精細画像では、近傍の画素の信号も処理対象となる画素の信号も１フレームの信号の中でほぼ同じ時刻に出力される。そのため、映像信号出力装置は、約１フレーム分の時間を、この処理にかけられる時間として得られる高精細画像を出力することができる。
【００１８】
また、請求項２に記載の映像伝送方法は、映像の各フレーム画像を複数の領域に分割して、前記フレーム画像ごとに各領域の画像を並列して伝送する映像伝送方法であって、前記フレーム画像の上下に隣接する２つの前記領域の画像を、当該画像を構成する水平のラインの垂直方向の走査の異なる向きに伝送することを特徴とする。
【００１９】
これによって、映像の各フレーム画像を複数に分割した各領域において、上下に隣接する２つの領域の画像の水平のラインの垂直方向の走査を異なる向きにして高精細画像を出力することができる。
【発明の効果】
【００２０】
本発明に係る映像信号出力装置及び映像伝送方法では、以下のような優れた効果を奏する。請求項１及び請求項２に記載の発明によれば、高精細画像を所定数の領域に分割して各領域の画像を並列に伝送する場合において、当該高精細画像に対して処理対象となる画素の近傍（上下）の画素の情報を用いる信号処理を行う際に、近傍の画素が処理対象の画素とは異なる領域にあっても処理にかけられる時間を十分に得られる高精細画像を出力及び伝送することができる。
【発明を実施するための最良の形態】
【００２１】
以下、本発明の実施の形態について図面を参照して説明する。
［高精細映像信号変換装置の構成］
まず、図１及び図２を参照して、高精細映像信号変換装置１の構成について説明する。図１は、本発明における高精細映像信号変換装置の構成を示した構成図である。図２は、従来の方法によって伝送される高精細画像と、本発明の高精細映像信号変換装置から出力される高精細画像とを説明するための説明図、（ｂ）は、本発明の高精細映像信号変換装置による横３８４０画素×縦２１６０画素の高精細画像を４つの画像に分割して伝送する方法を説明するための説明図である。
【００２２】
高精細映像信号変換装置（映像信号出力装置）１は、高精細映像のフレーム画像である高精細画像Ｇ０を４つに分割した画像Ｇ１〜Ｇ４を入力して、２つの画像Ｇ２、Ｇ４の出力順序を当該画像Ｇ２、Ｇ４を構成する水平のライン単位で並び替えた高精細画像Ｇ０の画像信号を生成するものである。高精細映像信号変換装置１は、入力部１１ａ〜１１ｄと、同期検出部１２ａ、１２ｂと、フレームメモリ１３、１５と、信号処理部１４と、出力部１６ａ〜１６ｄとを備える。
【００２３】
ここで、図２（ａ）に示すように、高精細画像Ｇ０は、横３８４０画素×縦２１６０画素の画像であり、縦方向に２つ、横方向に２つに分割されて４つの横１９２０画素×縦１０８０画素の画像Ｇ１〜Ｇ４から構成されている。そして、高精細映像信号変換装置１には、分割された画像Ｇ１〜Ｇ４のそれぞれについて、左上の画素ｇ１から順に右上の画素までの画素値が入力され、その後、１つ下のラインの画素値が左から右へと順に入力されて、右下の画素ｇ２の画素値まで入力される。
【００２４】
そして、図２（ｂ）に示すように、ここでは、高精細映像信号変換装置１は、４つの画像Ｇ１〜Ｇ４のうち、上の２つの画像Ｇ１、Ｇ３については、入力された信号と同様に一番上のラインの画素値から順に１つずつ下のラインの画素値を出力するとともに、下の２つの画像Ｇ２、Ｇ４については、入力された信号とは逆に、左下の画素ｇ３から右上の画素ｇ４へと、一番下のラインの画素値から順に１つずつ上のラインの画素値を出力する。なお、高精細映像信号変換装置１は、このように上下に隣接する画像（画像Ｇ１と画像Ｇ２、画像Ｇ３と画像Ｇ４）の水平のラインの垂直方向の走査の向きが異なっていればよく、例えば、画像Ｇ１、Ｇ３は下のラインから上のラインへ、画像Ｇ２、Ｇ４は上のラインから下のラインへと画素値を出力することとしてもよい。また、ここでは、高精細映像信号変換装置１に入力される高精細画像Ｇ０も、高精細映像信号変換装置１から出力される高精細画像Ｇ０も、ラインごとに左から右に走査されることとしたが、右から左に走査されることとしてもよい。
【００２５】
入力部（入力手段）１１ａ〜１１ｄは、高精細画像Ｇ０を構成する画像Ｇ１〜Ｇ４の画像信号を外部から入力するものである。ここで入力された画像信号は、フレームメモリ１３に入力される。
【００２６】
同期検出部１２ａ、１２ｂは、外部から高精細画像Ｇ０を構成する画像Ｇ１〜Ｇ４の画像信号を入力して、同期信号を検出するものである。ここで、同期検出部１２ａは、画像Ｇ１〜Ｇ４の画像信号から同期信号を検出したら、この同期信号によって示される同期タイミングをフレームメモリ１３に通知する。また、同期検出部１２ｂは、画像Ｇ１〜Ｇ４の画像信号から同期信号を検出したら、この同期信号によって示される同期タイミングをフレームメモリ１５及び出力部１６ａ〜１６ｄに通知する。
【００２７】
フレームメモリ１３、１５は、高精細画像Ｇ０を記憶するものであり、例えば、半導体メモリから構成することができる。ここで、フレームメモリ（フレーム画像記憶手段）１３は、同期検出部１２ａから通知されたタイミングで、入力部１１ａ〜１１ｄからの画像Ｇ１〜Ｇ４の４つの画像信号を入力して、これらの画像Ｇ１〜Ｇ４を結合した高精細画像Ｇ０を記憶する。そして、ここで記憶された高精細画像Ｇ０の画像信号は、後記する信号処理部１４によって高精細画像Ｇ０として読み出される。また、フレームメモリ１５は、同期検出部１２ｂから通知されたタイミングで、信号処理部１４から高精細画像Ｇ０の画像信号を入力して記憶する。そして、ここで記憶された高精細画像Ｇ０の画像信号は、後記する出力部１６ａ〜１６ｄによって、高精細画像Ｇ０を４つに分割した画像Ｇ１〜Ｇ４の画像信号として、同期検出部１２ｂから通知されたタイミングで読み出される。
【００２８】
信号処理部（信号処理手段）１４は、フレームメモリ１３に記憶された高精細画像Ｇ０の画像Ｇ２、Ｇ４の出力順序をライン単位で並び替えた高精細画像Ｇ０の画像信号を生成するものである。ここで生成された高精細画像Ｇ０の画像信号は、フレームメモリ１５に記憶される。
【００２９】
ここで、信号処理部１４は、上の２つの画像Ｇ１、Ｇ３の画像信号については、フレームメモリ１３から、まず最初の画素（画像Ｇ１、Ｇ３ではともに左上の画素ｇ３）の画素値を読み出し、この画素ｇ３から順に右方向に１ライン分の画素値を読み出して、フレームメモリ１５に記憶する。そして、信号処理部１４は、１つ下のラインの画素値を同様に読み出し、順次、更に下のラインの画素値を最後の画素（画像Ｇ１、Ｇ３ではともに右下の画素ｇ４）まで読み出して、フレームメモリ１５に記憶する。
【００３０】
また、信号処理部１４は、下の２つの画像Ｇ２、Ｇ４の画像信号については、フレームメモリ１３から、まず最初の画素（画像Ｇ２、Ｇ３ではともに左下の画素ｇ３）の画素値を読み出し、この画素ｇ３から順に右方向に１ライン分の画素値を読み出して、フレームメモリ１５に記憶する。そして、信号処理部１４は、１つ上のラインの画素値を同様に読み出し、順次、更に上のラインの画素値を最後の画素（画像Ｇ２、Ｇ４ではともに右上の画素ｇ４）まで読み出して、フレームメモリ１５に記憶する。
【００３１】
出力部（出力手段）１６ａ〜１６ｄは、フレームメモリ１５に記憶された高精細画像ＧＧ０の画像信号を、同期検出部１２ｂから通知されるタイミングで読み出して、外部に出力するものである。
【００３２】
これによって、高精細映像信号変換装置１は、高精細画像Ｇ０の上の２つの画像Ｇ１、Ｇ３については、上のラインの画素値から順に１つずつ下のラインの画素値を出力し、下の２つの画像Ｇ２、Ｇ４については、下のラインの画素値から順に１つずつ上のラインの画素値を出力することができる。ここで、図３を参照（適宜図１及び図２参照）して、高精細映像信号変換装置１から出力された高精細画像Ｇ０に、例えば、２次元フィルタ処理のように、注目画素の近傍の画素の情報を用いる信号処理を施す場合について説明する。図３は、高精細映像信号変換装置から出力された高精細画像に、２次元フィルタ処理を施す例を説明するための説明図、（ａ）は、分割された画像内における注目画素と、当該画像及び他の画像における近傍画素とを模式的に示した模式図、（ｂ）は、２次元フィルタに入力される信号と出力される信号とにおける、注目画素の情報の伝送のタイミングを模式的に示した模式図である。
【００３３】
ここでは、例えば、注目画素ｇ５から１０画素以内の位置にある画素（以下、近傍画素ｇ６と言う）が、この処理に必要であると想定する。なお、ここで、映像信号はすべて同期していることとする。ここで、高精細画像Ｇ０を構成する画像Ｇ１〜Ｇ４の画像信号を入力信号１〜４とし、処理後の、画像Ｇ１〜Ｇ４に対応する画像信号を出力信号１〜４とする。
【００３４】
そして、図３（ａ）に示すように、注目画素ｇ５が画像Ｇ４の左上にあるとき、近傍画素ｇ６は、すべての画像Ｇ１〜Ｇ４に含まれる。ここで、画像Ｇ１と画像Ｇ４について着目すると、高精細映像信号変換装置１から出力された高精細画像Ｇ０においては、画像Ｇ１は上のラインから走査されるため、図３（ｂ）に示すように、入力信号１においては、当該画像Ｇ１内の近傍画素ｇ６の画素値は１フレームの信号の最後に含まれる。一方、画像Ｇ４は下のラインから走査されるため、入力信号４においては、当該画像Ｇ４内の注目画素ｇ５と近傍画素ｇ６との画素値は１フレームの信号の最後に含まれる。そのため、この処理にかけられる時間として約１フレーム分の時間が得られ、この処理に必要な時間が約１フレーム以下であれば、図３（ｂ）に示すように、出力信号４において、次のフレームで注目画素ｇ５の画素値を出力することができる。なお、高精細映像信号変換装置１から出力された高精細画像Ｇ０の画像信号は、当該高精細画像Ｇ０を表示する表示装置の構造に合わせて所定のフォーマットに変換されることとする。
【００３５】
［高精細映像信号変換装置の動作］
次に、図４を参照（適宜図１及び図２参照）して、本発明における高精細映像信号変換装置１によって、４つの画像Ｇ１〜Ｇ４に分割された高精細画像Ｇ０の画像信号から、画像Ｇ２、Ｇ４の出力順序をライン単位で並び替えた高精細画像Ｇ０の画像信号を生成する動作について説明する。図４は、本発明における高精細映像信号変換装置によって高精細画像の画像信号を生成する動作を示したフローチャートである。なお、ここでは、１枚のフレーム画像についての動作を説明することとする。
【００３６】
高精細映像信号変換装置１は、入力部１１ａ〜１１ｄによって、４つの画像から構成される高精細の画像信号を外部から入力する（ステップＳ１１）。続いて、高精細映像信号変換装置１は、同期検出部１２ａによってステップＳ１１において入力された画像信号の同期信号を検出して、この同期タイミングで、フレームメモリ１３に、ステップＳ１１において入力された画像信号を記憶する（ステップＳ１２）。更に、高精細映像信号変換装置１は、信号処理部１４によって、ステップＳ１２において記憶された画像信号のうち、上の画像Ｇ１、Ｇ３の画像信号を、一番上のラインの画素値から順に下のラインへと読み出し、また、下の画像Ｇ２、Ｇ４の画像信号を、一番下のラインの画素値から順に上のラインへと読み出して、下の画像Ｇ２、Ｇ４のラインの出力順序を入れ替えた高精細画像Ｇ０の画像信号を生成する（ステップＳ１３）。
【００３７】
そして、高精細映像信号変換装置１は、ステップＳ１３において生成された高精細画像Ｇ０の画像信号を、フレームメモリ１５に記憶する（ステップＳ１４）。更に、高精細映像信号変換装置１は、同期検出部１２ｂによって、入力された画像信号の同期信号を検出して、この同期タイミングで、出力部１６ａ〜１６ｄによって、ステップＳ１４において記憶された画像信号を出力する（ステップＳ１５）。
【００３８】
なお、ここでは、高精細映像信号変換装置１は、高精細画像Ｇ０を４つに分割した画像Ｇ１〜Ｇ４を入力して、画像Ｇ２、Ｇ４の出力順序をライン単位で変えた高精細画像Ｇ０を構成する４つの画像Ｇ１〜Ｇ４を出力することとしたが、例えば、分割されていない高精細画像Ｇ０を入力して、高精細画像Ｇ０を構成する４つの画像Ｇ１〜Ｇ４のうちの下の画像Ｇ２、Ｇ４の出力順序をライン単位で変えた画像Ｇ１〜Ｇ４を出力することとしてもよい。このとき、入力された高精細画像Ｇ０は、高精細映像信号変換装置１のフレームメモリ１３に記憶された後に、信号処理部１４によって、高精細画像Ｇ０を４つに分割した画像Ｇ１〜Ｇ４に対応する画素値の情報を、前記した順序でフレームメモリ１３から読み出してフレームメモリ１５に記憶する。
【００３９】
また、高精細画像を分割する数は４つに限定されない。例えば、図５に示すように、高精細画像を１６個に分割することとしてもよい。図５は、本発明の高精細映像信号変換装置から出力される、横７６８０画素×縦４３２０画素の高精細画像を１６個に分割した画像の例を説明するための説明図である。
【００４０】
図５に示すように、高精細画像ＧＡ０は、横７６８０画素×縦４３２０画素の画像であり、縦方向に４つ、横方向に４つに分割されて１６個の横１９２０画素×縦１０８０画素の画像ＧＡ１〜ＧＡ１６から構成されている。そして、本発明の高精細映像信号変換装置（図示せず）は、１６個の画像ＧＡ１〜ＧＡ１６のうち、上から一段目の画像ＧＡ１、ＧＡ５、ＧＡ９、ＧＡ１３及び三段目の画像ＧＡ３、ＧＡ７、ＧＡ１１、ＧＡ１５については、左上の画素ｇａ３から右下の画素ｇａ４へと、上のラインの画素値から順に１つずつ下のラインの画素値を出力する。
【００４１】
同時に、本発明の高精細映像信号変換装置は、上から二段目の画像ＧＡ２、ＧＡ６、ＧＡ１０、ＧＡ１４及び四段目の画像ＧＡ４、ＧＡ８、ＧＡ１２、ＧＡ１６については、左下の画素ｇａ３から右上の画素ｇａ４へと、下のラインの画素値から順に１ラインずつ上のラインの画素値を出力する。なお、本発明の高精細映像信号変換装置は、このように上下に隣接する画像（例えば、画像ＧＡ１と画像ＧＡ２、画像ＧＡ２と画像ＧＡ３、画像ＧＡ３と画像ＧＡ４）の水平のラインの垂直方向の走査の向きが異なっていればよい。
【図面の簡単な説明】
【００４２】
【図１】本発明における高精細映像信号変換装置の構成を示した構成図である。
【図２】従来の方法によって伝送される高精細画像と、本発明の高精細映像信号変換装置から出力される高精細画像とを説明するための説明図、（ａ）は、従来の方法によって、横３８４０画素×縦２１６０画素の高精細画像を４つの画像に分割して伝送する方法を説明するための説明図、（ｂ）は、本発明の高精細映像信号変換装置による横３８４０画素×縦２１６０画素の高精細画像を４つの画像に分割して伝送する方法を説明するための説明図である。
【図３】本発明における高精細映像信号変換装置から出力された高精細画像に、２次元フィルタ処理を施す例を説明するための説明図、（ａ）は、分割された画像内における注目画素と、当該画像及び他の画像における近傍画素とを模式的に示した模式図、（ｂ）は、２次元フィルタに入力される信号と出力される信号とにおける、注目画素の情報の伝送のタイミングを模式的に示した模式図である。
【図４】本発明における高精細映像信号変換装置によって高精細画像の画像信号を生成する動作を示したフローチャートである。
【図５】本発明の高精細映像信号変換装置から出力される、横７６８０画素×縦４３２０画素の高精細画像を１６個に分割した画像の例を説明するための説明図である。
【図６】従来の方法によって、横３８２０画素×縦２１４０画素の高精細画像を４つの画像に分割して伝送する方法を説明するための説明図である。
【図７】従来の重複せずに高精細画像を４つに分割して伝送する方法における２次元フィルタ処理について説明するための説明図、（ａ）は、２次元フィルタ処理における信号の流れを示す構成図、（ｂ）は、分割された領域内における注目画素と近傍画素とを模式的に示した模式図、（ｃ）は、２次元フィルタに入力される信号と出力される信号とにおける、注目画素の情報の伝送のタイミングを模式的に示した模式図である。
【図８】従来の重複せずに高精細画像を４つに分割して伝送する方法における２次元フィルタ処理について説明するための説明図、（ａ）は、分割された領域内における注目画素と、当該領域及び他の領域における近傍画素とを模式的に示した模式図、（ｂ）は、２次元フィルタに入力される信号と出力される信号とにおける、注目画素の情報の伝送のタイミングを模式的に示した模式図である。
【符号の説明】
【００４３】
１      高精細映像信号変換装置（映像信号出力装置）
１１ａ、１１ｂ、１１ｃ、１１ｄ  入力部（入力手段）
１３    フレームメモリ（フレーム画像記憶手段）
１４    信号処理部（信号処理手段）
１６ａ、１６ｂ、１６ｃ、１６ｄ  出力部（出力手段）
【図１】
2009010613.tif 000003
【図２】
2009010613.tif 000004
【図３】
2009010613.tif 000005
【図４】
2009010613.tif 000006
【図５】
2009010613.tif 000007
【図６】
2009010613.tif 000008
【図７】
2009010613.tif 000009
【図８】
2009010613.tif 000010